【手続補正書】
【提出日】平成23年8月1日(2011.8.1)
【手続補正１】
【補正対象書類名】明細書
【補正対象項目名】０００９
【補正方法】変更
【補正の内容】
【０００９】
上記目的を達成するために、本発明の１つの非限定的な実施態様において、プロジェクタ手段と、光源と、光を変調するための少なくとも１つの一次変調器と、上記一次変調器によって変調された光を変調するための補助変調器と、上記一次変調器によって変調された光を上記補助変調器に中継するための光学手段と、上記一次変調器および上記補助変調器を制御するための制御手段とを備える画像表示装置が提供される。
この画像表示装置において、
上記一次変調器は、第１のピクセルアレイを具備し、且つ、上記補助変調器は、第２のピクセルアレイを具備し、
上記一次変調器の上記第１のピクセルアレイにおける各々のピクセルは、上記制御手段によって、上記第１のピクセルアレイにおける各々のピクセルに対するビデオ入力データの関数として制御され、
上記補助変調器の上記第２のピクセルアレイにおける各々のピクセルは、上記制御手段によって、上記第２のピクセルアレイにおける各々の対応するピクセル、および、上記第２のピクセルアレイにおける各々の隣接するピクセルに対するビデオ入力データの関数として制御されることを特徴としている。
【手続補正２】
【補正対象書類名】明細書
【補正対象項目名】００３４
【補正方法】変更
【補正の内容】
【００３４】
図１４は、本発明の実施例である装置１０２を示すブロック図である。図１４においては、光源１０４が、一次変調器１０６を照明する。この一次変調器１０６は、透過型もしくは反射型の空間光変調器であってよいし、または、任意の周知の空間光変調器であってよい。図１４の一次変調器１０６は、透過型の変調器として示されている。一次変調器１０６によって変調された光は、リレー光学手段１０８を介して補助変調器１１０に中継される。さらに、補助変調器１１０によって変調された光は、投影レンズ１１２を介してスクリーン１１４に投影される。このスクリーン１１４は、フロントプロジェクション方式またはリアプロジェクション方式のスクリーンであってよいし、平面状または曲線状であってよい。ここでは、ビデオ入力データ１１６が、一次変調器１０６を制御するための制御手段１１８に入力される。一次変調器１０６は、ビデオデータ入力の関数として制御される。この関数は、ビデオデータ入力を乗算する関数であってよい。この乗算の倍率は、１、または、１より大きな値、または、１より小さい値であってよい。この乗算はまた、ビデオデータ入力を反転する関数であってよい。補助変調器１１０は、コントローラ１２０によって制御される。コントローラ１２０は、補助変調器１１０の制御に関する情報を供給するためのコントローラ（制御手段）１１８からビデオ画像データを受け取る。コントローラ１２０は、一次変調器１０６内の各々のピクセルに送られる画像データ、および、当該ピクセルに隣接する各々のピクセルに送られる画像データの関数として、補助変調器１１０を制御する。上記のような隣接するピクセルは、最も近い位置で隣接する複数のピクセルを含むことが可能である。これらの複数のピクセルは、上記関数が適用されるピクセルのすぐそばに位置する複数のピクセルである。あるいは、上記のような隣接するピクセルは、全ての方向において幾つかのピクセルを含み得るような２番目に近い位置で隣接する複数のピクセルを含むことが可能である。これらのピクセルは、図７および図９に示されており、明らかに、図示されている範囲を越えて拡大され得る。コントローラ１１８、１２０は、一次変調器１０６および補助変調器１１０を制御するための制御手段を形成する。
【手続補正３】
【補正対象書類名】明細書
【補正対象項目名】００３７
【補正方法】変更
【補正の内容】
【００３７】
単一のピクセルにおいて、この単一のピクセルの領域の５０％のみが、補助変調器の対応するピクセルと重なり合うことを意味するようなミスアラインメントが生じている場合、ここで開示されている制御システムは、観測用のスクリーンに送信される光を顕著に増加させるであろう。図１４は、１つの一次変調器および１つの補助変調器を使用した白黒用の画像表示装置を示している。カラーホイール（ｃｏｌｏｒ  ｗｈｅｅｌ）を光の経路内に挿入するか、または、カラーシーケンシャル光源を使用した場合、この画像表示装置は、カラープロジェクタにも適しているであろう。
【手続補正４】
【補正対象書類名】明細書
【補正対象項目名】００４５
【補正方法】変更
【補正の内容】
【００４５】
図１９は、補助変調器上の３×３のピクセルアレイと、一次変調器の単一のピクセルが補助変調器上に形成される際の一次変調器の単一のピクセルの画像とを拡大して示す拡大図１４０である。ここでは、横方向のピクセルのミスアラインメントが存在する。正しいアラインメントは、陰影付きのピクセルが、３×３のピクセルアレイの中央のピクセル１４４に合致することを示すであろう。図示されているような補助変調器内の３×３のピクセルアレイの中央のピクセル１４４は、一次変調器内の対応するピクセル（この場合、陰影付きのピクセル）および、補助変調器内の隣接するピクセルの関数として制御される。上記の例において、８個の隣接するピクセルは、一次変調器において当該ピクセルに印加されるような０（ゼロ）のビデオレベルを有する。陰影付きのピクセルの一部のみが中央のピクセル１４４と重なっており、それが図示されている領域１４６であることが理解されるであろう。領域１４８の各々は、隣接するピクセルと重なり合う。隣接するピクセルが最大限のビデオレベル２５５にて駆動されるような前述の制御関数が使用される場合、一次変調器から送出される光の比較的多くの部分が、スクリーンに到達するという結果になるであろう。承知の通り、空間光変調器のピクセルの間には光を変調しない小領域が存在するのですべての光がスクリーンに送られるわけではない。このような領域は、代表的に、変調器の全領域の約１０％であるが、１０％より大きくしたり小さくしたりすることも可能である。上記の制御方法は、多くの画像において、光のスループット（ｔｈｒｏｕｇｈｐｕｔ）が増加するという結果になり、且つ、ミスアラインメントおよびミスコンバージェンス（ｍｉｓｃｏｎｖｅｒｇｅｎｃｅ）によって発生する幾つかのアーチファクトを取り除くことができるであろう。したがって、ディスプレイにて表示される黒色レベルが、大幅に低減されたレベルのままになっており、この結果として、このディスプレイにて改善されたコントラストを維持することができるであろう。
【手続補正５】
【補正対象書類名】明細書
【補正対象項目名】００４８
【補正方法】変更
【補正の内容】
【００４８】
本実施例においては、周知のカラーシーケンシャル技術を用いて、モノクロ用のビデオデータまたはカラー画像データのいずれか一方が、ルックアップテーブル（ＬＵＴ：ｌｏｏｋ  ｕｐ  ｔａｂｌｅ）１６２に入力される。このルックアップテーブル（ＬＵＴ）１６２は、ビデオデータ入力に対してガンマ補正を施すために使用され得る。補正されたビデオ画像データは、フィルタ制御手段１６４および時間遅延手段１７０に出力される。フィルタ制御手段１６４は、１つの関数をビデオ画像データに適用する。この関数は、各々のピクセルおよび各々の隣接するピクセルに対するビデオ画像データの関数である。さらに、フィルタ制御手段１６４は、フレーム保存手段１７６を用いて、隣接するピクセルに対するピクセルデータをアクセスして取得する。最も近い位置で隣接するピクセルが考慮されている場合、上記の関数は、各々のピクセルに対するビデオ入力、および、８個の隣接するピクセルに対するビデオ入力の関数である。さらに、フィルタ制御手段１６４は、補助変調器に対する出力を決定する。この補助変調器に対する出力は、時間遅延手段１６６を介して出力される。この時間遅延手段１６６は、一次変調器および補助変調器の正しい同期化を可能にする。フィルタ制御手段１６４は、各々のピクセルおよび各々の隣接するピクセルの両方に依存する各々のピクセルに対して１つの関数を付与しているので、考慮の対象である隣接するピクセルの数に応じて、わずかな時間的遅れが生ずることが理解されるであろう。特定のピクセルに対する出力は、ビデオ情報の少なくとも次のラインが、フィルタ制御手段により受信されるまで待たなければならない。なぜならば、考慮の対象である各々の隣接するピクセルは、さらに、隣接するピクセルに依存しているからである。時間遅延手段１７０は、補助変調器１７２を制御することを目的として、ビデオ画像データを遅延させるために使用される。時間遅延手段１７０から送出される遅延されたビデオ画像データは、手段１６８から送出される各々のピクセルに対するピクセル出力画像データと結合され、一次変調器内の各々のピクセルに対する駆動レベルが決定されるようになる。ルックアップテーブル（ＬＵＴ）１７４、１７８は、任意の必要なガンマ補正を行うために使用され得る。
【手続補正６】
【補正対象書類名】特許請求の範囲
【補正対象項目名】請求項１
【補正方法】変更
【補正の内容】
【請求項１】
プロジェクタ手段と、光源と、光を変調するための少なくとも１つの一次変調器と、前記一次変調器によって変調された光を変調するための補助変調器と、前記一次変調器によって変調された光を前記補助変調器に中継するための光学手段と、前記一次変調器および前記補助変調器を制御するための制御手段とを備える画像表示装置であって、
前記一次変調器は、第１のピクセルアレイを具備し、且つ、前記補助変調器は、第２のピクセルアレイを具備し、
前記一次変調器の前記第１のピクセルアレイにおける各々のピクセルは、前記制御手段によって、前記第１のピクセルアレイにおける各々のピクセルに対するビデオ入力データの関数として制御され、
前記補助変調器の前記第２のピクセルアレイにおける各々のピクセルは、前記制御手段によって、前記第２のピクセルアレイにおける各々の対応するピクセル、および、前記第２のピクセルアレイにおける各々の隣接するピクセルに対するビデオ入力データの関数として制御されることを特徴とする画像表示装置。